(57)【要約】【課題】ワイヤハーネスの電線束が予め定められた位置に取り付けられる場合に、低コストで電線束の太さなどの要求仕様の違いに対応できる汎用性の高いワイヤハーネスを提供すること。【解決手段】取付具１は、シート状の基部２と固定場所の取付座に固定される少なくとも１つの固定部３とを有する。基部２は、柔軟性を有し電線束の周囲に巻き付けられる。固定部３は、基部２と一体に形成されている。バンド部４及び留め部５は、基部２における第一縁部２０１とその反対側の第二縁部２０２との間隔を電線束の太さに応じて調節可能にしつつ基部２を電線束に巻き付いた状態に保持する。【選択図】図１
2014155320.tif 000002
【特許請求の範囲】
【請求項１】
電線束と、
柔軟性を有し前記電線束の周囲に巻き付けられたシート状の基部、及び該基部と一体に形成され固定場所の取付座に嵌め合わせられることにより前記取付座に固定される少なくとも１つの固定部を有する取付具と、
前記取付具の前記基部における前記電線束の延伸方向に沿う第一縁部と該第一縁部の反対側の第二縁部との間隔を前記電線束の太さに応じて調節可能にしつつ前記基部を前記電線束に巻き付いた状態に保持する保持具と、を備えるワイヤハーネス。
【請求項２】
請求項１に記載のワイヤハーネスであって、
前記取付具は、前記基部に形成された線状の孔に通されて前記基部を自身の長手方向に沿う形状に維持する硬質の棒部材をさらに備え、
前記線状の孔は、前記基部における前記固定部と繋がる部分を通り前記第一縁部の延伸方向に延びて形成されている、ワイヤハーネス。
【請求項３】
請求項１又は請求項２に記載のワイヤハーネスであって、
前記保持具は、
それぞれの一端が前記取付具の前記基部と繋がって形成され、それぞれに長手方向に並ぶ複数の凸部もしくは凹部が形成された複数のバンド部と、
前記基部と一体に形成され、複数の前記バンド部各々が通される貫通孔の縁部をなし、前記バンド部における複数の前記凸部もしくは前記凹部のうちの少なくとも１つと係り合って前記バンド部を留める複数の留め部と、を有し、
複数の前記留め部の少なくとも１つは前記固定部に形成されている、ワイヤハーネス。
【請求項４】
請求項１から請求項３のいずれかに記載のワイヤハーネスであって、
前記電線束は、複数の電線の周囲を一括して覆うコルゲートチューブを含み、
前記取付具の前記基部は、前記コルゲートチューブの外周面の溝に嵌り込む凸部を有し、前記コルゲートチューブの外側から前記電線束に巻き付けられている、ワイヤハーネス。
【請求項５】
柔軟性を有し電線束の周囲に巻き付けられるシート状の基部と、
前記基部と一体に形成され固定場所の取付座に嵌め合わせられることにより前記取付座に固定される少なくとも１つの固定部と、を有するワイヤハーネス用取付具。
【発明の詳細な説明】
【技術分野】
【０００１】
本発明は、ワイヤハーネス及び電線束を所定の場所に固定するための取付具に関する。
【背景技術】
【０００２】
従来、ワイヤハーネスの電線束が車両における予め定められた位置に固定される場合、特許文献１に示されるような硬質のプロテクタが用いられる。この場合、電線束の一部がプロテクタ内に収容され、プロテクタの固定部が車両の一部に固定される。例えば、プロテクタの固定部は、車両における固定場所に設けられたスタッドボルトにナットで固定される。
【０００３】
また、電線束におけるプロテクタに収容された部分は、硬質のプロテクタの形状維持機能により、固定部が固定された位置を基準として予め定められた経路に沿う形状に維持される。
【先行技術文献】
【特許文献】
【０００４】
【特許文献１】特開２００７−３３０００５号公報
【発明の概要】
【発明が解決しようとする課題】
【０００５】
ところで、特許文献１に示されるような硬質のプロテクタは、金型を用いた合成樹脂の射出成形によって成形される。さらに、そのような硬質のプロテクタは、電線束の太さ及び電線束の配線経路などの要求仕様ごとに異なる形状に成形される。
【０００６】
即ち、従来、ワイヤハーネスの電線束が予め定められた位置を基準に予め定められた経路に沿って取り付けられる場合、要求仕様ごとに異なる金型を用いてプロテクタを成形することが必要となる。そのようなプロテクタは、低コストで要求仕様の違いに対応できる汎用性に乏しい。
【０００７】
本発明は、ワイヤハーネスの電線束が予め定められた位置に取り付けられる場合に、低コストで電線束の太さなどの要求仕様の違いに対応できる汎用性の高いワイヤハーネスを提供することを目的とする。
【課題を解決するための手段】
【０００８】
本発明の第１態様に係るワイヤハーネスは、電線束と取付具と保持具とを備える。上記取付具は、シート状の基部と固定場所の取付座に固定される少なくとも１つの固定部とを有する。基部は、柔軟性を有し上記電線束の周囲に巻き付けられている。上記固定部は、上記基部と一体に形成され固定場所の取付座に嵌め合わせられることにより上記取付座に固定される。上記保持具は、上記取付具の上記基部における上記電線束の延伸方向に沿う第一縁部と該第一縁部の反対側の第二縁部との間隔を上記電線束の太さに応じて調節可能にしつつ上記基部を上記電線束に巻き付いた状態に保持する。
【０００９】
本発明の第２態様に係るワイヤハーネスは、第１態様に係るワイヤハーネスの一態様である。第２態様に係るワイヤハーネスにおいて、上記取付具は、上記基部に形成された線状の孔に通されて上記基部を自身の長手方向に沿う形状に維持する硬質の棒部材をさらに備える。上記線状の孔は、上記基部における上記固定部と繋がる部分を通り上記第一縁部の延伸方向に延びて形成されている。
【００１０】
本発明の第３態様に係るワイヤハーネスは、第１態様又は第２態様に係るワイヤハーネスの一態様である。第３態様に係るワイヤハーネスにおいて、上記保持具は、複数のバンド部と複数の留め部とを有する。複数の上記バンド部は、それぞれの一端が上記取付具の上記基部と繋がって形成され、それぞれに長手方向に並ぶ複数の凸部もしくは凹部が形成された部分である。複数の上記留め部は、上記基部と一体に形成され、複数の上記バンド部各々が通される貫通孔の縁部をなし、上記バンド部における複数の上記凸部もしくは上記凹部のうちの少なくとも１つと係り合って上記バンド部を留める部分である。複数の上記留め部の少なくとも１つは上記固定部に形成されている。
【００１１】
本発明の第４態様に係るワイヤハーネスは、第１態様から第３態様のいずれかに係るワイヤハーネスの一態様である。第４態様に係るワイヤハーネスにおいて、上記電線束は、複数の電線の周囲を一括して覆うコルゲートチューブを含む。そして、上記取付具の上記基部は、上記コルゲートチューブの外周面の溝に嵌り込む凸部を有し、上記コルゲートチューブの外側から上記電線束に巻き付けられている。
【００１２】
また、本発明は、以上に示された各態様に係るワイヤハーネスが備える取付具の発明、即ち、ワイヤハーネス用取付具の発明として捉えられてもよい。
【発明の効果】
【００１３】
上記の各態様に係るワイヤハーネスによれば、取付具の固定部が所定の取付座と嵌め合わされるだけで、電線束が取付座の位置に簡易に位置決めされる。さらに、シート状の基部が柔軟性を有するため、電線束を、取付座の位置を基準として要求仕様に応じた様々な経路に沿わせることが可能である。即ち、上記の各態様における取付具は、電線束の経路の要求仕様に関して汎用性が高い。
【００１４】
また、取付具は、シート状の基部が電線束に巻き付けられることによって電線束と合体する。さらに、基部を電線束に巻き付いた状態に保持する保持具は、基部における一対の縁部の間隔を電線束の太さに応じて調節可能である。そのような取付具及び保持具は、様々な太さの電線束に適用可能である。即ち、上記の各態様における取付具は、電線束の太さの要求仕様に関して汎用性が高い。
【００１５】
従って、上記の各態様に係るワイヤハーネスによれば、電線束の太さ及び配線経路などの要求仕様の違いに応じて成形用の金型を設計及び作製して形状の異なるプロテクタを作製する必要がない。その結果、低コストで電線束の太さ及び配線経路などの要求仕様の違いに対応することが可能となる。
【００１６】
また、上記の第２態様において、取付具の基部とその基部が巻き付けられた電線束は、基部の孔に通された硬質の棒部材に沿う形状に維持される。また、棒部材は、基部における固定部と繋がる部分を通る孔に通されている。そのため、基部とその基部が巻き付けられた電線束は、固定部が固定される取付座の位置を基準として位置決めされるとともに、棒部材に沿う形状に維持される。
【００１７】
従って、上記の第２態様に係るワイヤハーネスによれば、電線束の経路の要求仕様に応じた長さ及び形状の棒部材が用意されるだけで、取付座の位置を基準として要求仕様に応じた様々な経路に電線束を沿わせることが可能となる。また、棒部材は構造が単純であるため、配線経路に応じた形状の棒部材を低コストで用意することが可能である。そのため、第２態様における取付具は、電線束の経路の要求仕様に関して汎用性が高い。
【００１８】
また、上記の第３態様において、バンド部及び留め部を有する保持具は、取付具と一体に形成されている。そのため、ワイヤハーネスの部品点数が少なくなり、ワイヤハーネスの作製に要する工数及びコストが低く抑えられる。
【００１９】
また、上記の第４態様において、取付具の基部は、コルゲートチューブの外周面の溝に嵌り込む凸部を有し、コルゲートチューブの外側から電線束に巻き付けられている。そのため、取付具がコルゲートチューブの表面を滑ることによって電線束における取付具の装着位置がずれることが防がれる。そのような取付具は、電線束が複数の電線の周囲を一括して覆うコルゲートチューブを含む場合に好適である。
【図面の簡単な説明】
【００２０】
【図１】本発明の第１実施形態に係るワイヤハーネス用取付具１の斜視図である。
【図２】ワイヤハーネス用取付具１の基部の断面図である。
【図３】本発明の第１実施形態に係るワイヤハーネス１０の平面図である。
【図４】比較的細い電線束を有するワイヤハーネス１０の断面図である。
【図５】比較的太い電線束を有するワイヤハーネス１０の断面図である。
【図６】直線経路に沿って敷設されたワイヤハーネス１０の平面図である。
【図７】曲線経路に沿って敷設されたワイヤハーネス１０の平面図である。
【図８】本発明の第２実施形態に係るワイヤハーネス１０Ａの平面図である。
【図９】本発明の第３実施形態に係るワイヤハーネス１０Ｂの平面図である。
【図１０】本発明の第４実施形態に係るワイヤハーネス１０Ｃの平面図である。
【発明を実施するための形態】
【００２１】
以下、添付の図面を参照しながら、本発明の実施形態について説明する。以下の実施形態は、本発明を具体化した一例であり、本発明の技術的範囲を限定する事例ではない。
【００２２】
＜第１実施形態＞
まず、図１，２を参照しつつ、本発明の第１実施形態に係るワイヤハーネス用取付具１の構成について説明する。ワイヤハーネス用取付具１は、自動車などの車両において電線束を所定の場所に固定するための用具である。以下の説明において、ワイヤハーネス用取付具１のことを取付具１と称する。
【００２３】
図１に示されるように、取付具１は、基部２、固定部３、バンド部４及び留め部５を有する。さらに、取付具１は棒部材６を備えている。図２は、図１に示されるＩＩ−ＩＩ平面における基部２の断面図である。
【００２４】
基部２、固定部３、バンド部４及び留め部５は、例えば、エラストマー(elastic polymer)などのゴム系材料又はその他の合成樹脂材料からなる一体成形された部材である。なお、エラストマーには、天然ゴム及び合成ゴムなどの加硫ゴム、並びにウレタンゴム、発泡ウレタン、シリコーンゴム及びフッ素ゴムなどの熱硬化性樹脂系エラストマーが含まれる。また、その他の合成樹脂材料は、例えば、ポリプロピレン（ＰＰ）、ポリエチレン（ＰＥ）、ポリ塩化ビニル（ＰＶＣ）、ポリエチレンテレフタラート（ＰＥＴ）、又はポリアミド（ＰＡ）などである。
【００２５】
＜基部＞
基部２は、柔軟性を有し電線束の周囲に巻き付けられるシート状の部分である。基部２は、四方の縁部のうちの１つである第一縁部２０１とその反対側の第二縁部２０２とが電線束の延伸方向に沿う状態で電線束に巻き付けられる。
【００２６】
また、図１に示されるように、基部２の第一縁部２０１及び第二縁部２０２に沿う方向が、シート状の基部２の長手方向である。即ち、基部２における四方の縁部のうちの第一縁部２０１及びその反対側の第二縁部２０２は、残りの第三縁部２０３及び第四縁部２０４よりも長い。なお、第三縁部２０３及び第四縁部２０４は、電線束の外周に巻かれる縁部である。
【００２７】
基部２には、棒部材６が通される線状の孔２１、即ち、長尺な孔２１が形成されている。本実施形態における孔２１は貫通孔である。孔２１は、基部２における固定部３と繋がる部分を通り第一縁部２０１の延伸方向に延びて形成されている。例えば、図２に示されるように、基部２１における孔２１が形成された部分２３は、他の部分よりも大きな厚みで形成されている。
【００２８】
なお、基部２全体が、孔２１の形成に十分な厚みで形成されていることも考えられる。例えば、基部２がエラストマーなどの弾性材料からなる場合、基部２全体が比較的大きな厚みで形成されていても、電線束への巻き付けに十分な柔軟性が確保される。
【００２９】
また、本実施形態における基部２は、電線束が備えるコルゲートチューブの外周面の溝に嵌り込む凸部２２を有している。基部２における凸部２２が形成されている面は、基部２が電線束に巻き付けられたときに電線束に対向する面（内側面）である。電線束の外装がコルゲートチューブである場合、基部２は、コルゲートチューブの外側から電線束に巻き付けられる。
【００３０】
＜固定部＞
固定部３は、取付具１が装着されるワイヤハーネスが固定される場所の取付座に嵌め合わせられることにより取付座に固定される部分である。図１に示される例では、固定部３は、車体パネルなどに形成された凸状の取付座が嵌め入れられる開口３１が形成された枠状の部分である。
【００３１】
固定部３は、基部２と一体に形成されている。基部２における固定部３が形成されている面は、基部２が電線束に巻き付けられたときに電線束に対向する側の反対側の面（外側面）である。
【００３２】
取付具１は、少なくとも１つの固定部３を有している。図１に示される取付具１は、１つの固定部３を有しているが、取付具１が複数の固定部３を有していることも考えられる。また、図１に示される例では、固定部３は、基部２における第一縁部２０１側に片寄った位置に形成されている。
【００３３】
＜バンド部及び留め部＞
取付具１は、複数のバンド部４とそれらバンド部４各々に対応した複数の留め部５とを有している。図１に示される例では、２組のバンド部４及び留め部５が、基部２における第一縁部２０１に沿う方向における両端部各々に設けられている。
【００３４】
バンド部４及び留め部５は、基部２を電線束に巻き付いた状態に保持する保持具を構成している。即ち、本実施形態においては、基部２を電線束に巻き付いた状態に保持する保持具が、取付具１の一部として形成されている。
【００３５】
バンド部４及び留め部５は、基部２における第一縁部２０１と第二縁部２０２との間固定部３隔を電線束の太さに応じて調節可能にしつつ基部２を電線束に巻き付いた状態に保持する。その詳細については後述する。
【００３６】
複数のバンド部４各々は、一端が基部２１と繋がって形成されている。図１に示される例では、バンド部４各々の一端は、基部２の第二縁部２０２に繋がっている。また、バンド部４各々には、その長手方向に並ぶ複数の凸部４１が形成されている。
【００３７】
一方、複数の留め部５各々も、基部２と一体に形成されている。留め部５各々は、バンド部４各々が通される貫通孔５１の縁部をなしている。また、留め部５各々には、バンド部４における複数の凸部４１のうちの少なくとも１つと係りあってバンド部４を留める張出部５２が形成されている。
【００３８】
なお、バンド部４各々に、その長手方向に並ぶ複数の凹部が形成されていることも考えられる。この場合、留め部５の張出部５２は、バンド部４の凹部と係り合ってバンド部４を留める。
【００３９】
複数の留め部５の少なくとも１つは固定部３に形成されている。本実施形態においては、２つの留め部５のうちの一方が固定部３に形成されている。従って、２つの留め部５のうちの他方は、固定部３とは別個に設けられている。
【００４０】
＜棒部材＞
棒部材６は、基部２に形成された線状の孔２１に通されて基部２を自身の長手方向に沿う形状に維持する硬質の部材である。棒部材６は、例えば、硬質の棒状の合成樹脂の部材である。また、棒部材６が剛性の高い棒状の金属部材であることも考えられる。
【００４１】
棒部材６は、基部２の孔２１に通されたときに孔２１の内側面に密接する形状及び太さで形成されている。後述するように、棒部材６が直線に沿う棒状の部材であることの他、棒部材６が曲線に沿う棒状の部材であることも考えられる。
【００４２】
なお、棒部材６が丸棒の部材であることの他、棒部材６が角棒の部材であることも考えられる。
【００４３】
＜ワイヤハーネス＞
次に、図３〜７を参照しつつ、本発明の第１実施形態に係るワイヤハーネス１０について説明する。ワイヤハーネス１０は、電線束９と取付具１とを備えている。さらに、本実施形態におけるワイヤハーネス１０は、電線留め具８も備えている。
【００４４】
図４はワイヤハーネス１０の平面図である。図５は比較的細い電線束９を有するワイヤハーネス１０の断面図である。図６は比較的太い電線束９を有するワイヤハーネス１０の断面図である。図６は直線経路に沿って敷設されたワイヤハーネス１０の平面図である。図７は曲線経路に沿って敷設されたワイヤハーネス１０の平面図である。なお、図４，５は、図３に示されるＩＩＩ−ＩＩＩ平面におけるワイヤハーネス１０の断面図である。
【００４５】
＜電線束＞
電線束９は、束ねられた複数の電線９１を含む。さらに、本実施形態においては、電線束９はコルゲートチューブ９２も含む。コルゲートチューブ９２は、複数の電線９１の周囲を一括して覆う蛇腹状の部材である。図３に示されるように、コルゲートチューブ９２の外周面には、コルゲートチューブ９２の延伸方向に並ぶ複数の溝９２１が形成されている。
【００４６】
＜電線留め具＞
電線留め具８は、電線束における取付具１の固定部３から離れた部位を車両の支持体に留める用具である。例えば、電線留め具８はベルト付クランプである。
【００４７】
＜電線束に装着された取付具＞
ワイヤハーネス１０において、取付具１の基部２は、コルゲートチューブ９２の外側から電線束９に巻き付けられている。図４，５に示されるように、基部２は、凸部２２がコルゲートチューブ９２の外周面の溝９２１に嵌り込んだ状態で、電線束９に巻き付けられている。
【００４８】
図４，５に示されるように、バンド部４は、その先端から留め部５の貫通孔５１に通される。これにより、留め部５の張出部５２が、バンド部４における複数の凸部４１のうちの少なくとも１つと係りあってバンド部４を留める。その結果、基部２は、バンド部４及びそれを留める留め部５により、電線束９に巻き付いた状態に保持される。
【００４９】
前述したように、バンド部４各々には、その長手方向に並ぶ複数の凸部４１が形成されている。図４に示されるように、電線束９が比較的細い場合、留め部５は、基部２の第二縁部２０２寄りに位置する凸部４１と係り合ってバンド部４を留める。この場合、基部２における第一縁部２０１と第二縁部２０２との間隔が狭まる。
【００５０】
一方、図５に示されるように、電線束９が比較的太い場合、留め部５は、バンド部４の先端寄りに位置する、即ち、基部２の第二縁部２０２からより離れて位置する凸部４１と係り合ってバンド部４を留める。この場合、基部２における第一縁部２０１と第二縁部２０２との間隔が広くなる。
【００５１】
図４，５に示されるように、バンド部４及び留め部５からなる留め具は、基部２における第一縁部２０１と第二縁部２０２との間隔を電線束９の太さに応じて調節可能にしつつ基部２を電線束９に巻き付いた状態に保持する。
【００５２】
＜ワイヤハーネスの固定構造＞
図６に示されるワイヤハーネス１０においては、１本の直線状の棒部材６が、基部２における第一縁部２０１に沿う方向の全長に亘って基部２の孔２１に通されている。この場合、基部２とその基部２が巻き付けられた電線束９は、固定部３が固定される取付座の位置を基準として位置決めされるとともに、棒部材６に沿う直線状に維持される。
【００５３】
ワイヤハーネス１０が車両における所定の場所に固定される場合、固定部３が取付座に固定される。さらに、電線束９に取り付けられた電線留め具８は、直線状に維持された電線束９に沿う位置に形成された支持体の取付孔の部分に留められる。
【００５４】
図７に示されるワイヤハーネス１０においては、２本の直線状の棒部材６の一方が、基部２における第一縁部２０１に沿う方向の一端からの一部の範囲に亘って基部２の孔２１に通されている。さらに、２本の直線状の棒部材６の他方が、基部２における第一縁部２０１に沿う方向の他端からの一部の範囲に亘って基部２の孔２１に通されている。
【００５５】
さらに、図７に示される例では、固定部３が取付座に固定される。さらに、電線束９に取り付けられた電線留め具８は、基部２における棒部材６が通されていない部分が曲がる状態で、支持体の取付孔の部分に留められている。これにより、基部２とその基部２が巻き付けられた電線束９は、固定部３が固定される取付座の位置を基準として位置決めされるとともに曲線に沿う形状に維持される。また、基部２における棒部材６が通された部分は、直線状に維持される。
【００５６】
＜第２実施形態＞
次に、図８を参照しつつ、本発明の第２実施形態に係るワイヤハーネス１０Ａについて説明する。図８はワイヤハーネス１０Ａの平面図である。
【００５７】
ワイヤハーネス１０Ａは、図３〜７に示されたワイヤハーネス１０と比較して、取付具における棒部材の形状のみが異なる。図８において、図１〜７に示される構成要素と同じ構成要素は、同じ参照符号が付されている。以下、ワイヤハーネス１０Ａにおけるワイヤハーネス１０と異なる点についてのみ説明する。
【００５８】
ワイヤハーネス１０Ａの取付具１Ａは、ワイヤハーネス１０の取付具１と同様に、電線束９、基部２、固定部３、バンド部４、留め部５及び電線留め具８を備えている。そして、取付具１Ａは、１本の曲線状の棒部材６Ａを備えている。
【００５９】
棒部材６Ａは、基部２における第一縁部２０１に沿う方向の全長に亘って基部２の孔２１に通されている。この場合、基部２とその基部２が巻き付けられた電線束９は、固定部３が固定される取付座の位置を基準として位置決めされるとともに、棒部材６に沿う曲線状に維持される。図８に示されるようなワイヤハーネス１０Ａも本発明の実施形態の一例である。
【００６０】
＜第３実施形態＞
次に、図９を参照しつつ、本発明の第３実施形態に係るワイヤハーネス１０Ｂについて説明する。図９はワイヤハーネス１０Ｂの平面図である。
【００６１】
ワイヤハーネス１０Ｂは、図３〜７に示されたワイヤハーネス１０と比較して、取付具における棒部材の形状が異なる。さらに、ワイヤハーネス１０Ｂは、２つの固定部３を有する取付具１Ｂを備えている。２つめの固定部３は、電線線留め具８の代わりに設けられている。図９において、図１〜８に示される構成要素と同じ構成要素は、同じ参照符号が付されている。以下、ワイヤハーネス１０Ｂにおけるワイヤハーネス１０と異なる点についてのみ説明する。
【００６２】
ワイヤハーネス１０Ｂの取付具１Ｂは、ワイヤハーネス１０の取付具１と同様に、電線束９、基部２、固定部３、バンド部４、留め部５及び電線留め具８を備えている。そして、取付具１Ａは、２本の曲線状の棒部材６Ａを備えている。
【００６３】
２本の曲線状の棒部材６Ａの一方は、基部２における第一縁部２０１に沿う方向の一端からの一部の範囲に亘って基部２の孔２１に通されている。さらに、２本の曲線状の棒部材６Ａの他方が、基部２における第一縁部２０１に沿う方向の他端からの一部の範囲に亘って基部２の孔２１に通されている。
【００６４】
ワイヤハーネス１０Ｂにおいては、２本の棒部材６Ａは、折り返した曲線に沿う状態で、基部２の孔２１に通されている。
【００６５】
ワイヤハーネス１０Ｂにおいて、基部２とその基部２が巻き付けられた電線束９は、固定部３が固定される取付座の位置を基準として位置決めされるとともに、２本の棒部材６に沿う曲線状に維持される。より具体的には、基部２とその基部２が巻き付けられた電線束９は、折り返した曲線状に維持される。図９に示されるようなワイヤハーネス１０Ｂも本発明の実施形態の一例である。
【００６６】
＜第４実施形態＞
次に、図１０を参照しつつ、本発明の第４実施形態に係るワイヤハーネス１０Ｃについて説明する。図１０はワイヤハーネス１０Ｃの平面図である。
【００６７】
ワイヤハーネス１０Ｃは、図９に示されたワイヤハーネス１０Ｂと比較して、取付具における基部２と２本の棒部材６Ａとの組み合わせ方のみが異なる。図１０において、図１〜９に示される構成要素と同じ構成要素は、同じ参照符号が付されている。以下、ワイヤハーネス１０Ｃにおけるワイヤハーネス１０Ｂと異なる点についてのみ説明する。
【００６８】
ワイヤハーネス１０Ｃの取付具１Ｃは、ワイヤハーネス１０，１０Ａ，１０Ｂの取付具１，１Ａ，１Ｂと同様に、電線束９、基部２、固定部３、バンド部４、留め部５及び電線留め具８を備えている。さらに、取付具１Ｃは、取付具１Ｂと同様に、２本の曲線状の棒部材６Ａを備えている。
【００６９】
２本の曲線状の棒部材６Ａの一方は、基部２における第一縁部２０１に沿う方向の一端からの一部の範囲に亘って基部２の孔２１に通されている。さらに、２本の曲線状の棒部材６Ａの他方が、基部２における第一縁部２０１に沿う方向の他端からの一部の範囲に亘って基部２の孔２１に通されている。
【００７０】
ワイヤハーネス１０Ｃにおいては、２本の棒部材６Ａは、２箇所の曲がり部がそれぞれ異なる方向へ曲がる曲線に沿う状態で、基部２の孔２１に通されている。
【００７１】
ワイヤハーネス１０Ｂにおいて、基部２とその基部２が巻き付けられた電線束９は、固定部３が固定される取付座の位置を基準として位置決めされるとともに、２本の棒部材６に沿う曲線状に維持される。より愚弟的には、基部２とその基部２が巻き付けられた電線束９は、折り返さずに２箇所において曲がった曲線状に維持される。図１０に示されるようなワイヤハーネス１０Ｃも本発明の実施形態の一例である。
【００７２】
＜効果＞
ワイヤハーネス１０，１０Ａ，１０Ｂ，１０Ｃが採用されれば、取付具１，１Ａ，１Ｂ，１Ｃの固定部３が所定の取付座と嵌め合わされるだけで、電線束９が取付座の位置に簡易に位置決めされる。さらに、シート状の基部２が柔軟性を有するため、電線束９を、取付座の位置を基準として要求仕様に応じた様々な経路に沿わせることが可能である。即ち、取付具１，１Ａ，１Ｂ，１Ｃは、電線束９の経路の要求仕様に関して汎用性が高い。
【００７３】
また、取付具１，１Ａ，１Ｂ，１Ｃは、シート状の基部２が電線束９に巻き付けられることによって電線束９と合体する。さらに、基部２を電線束９に巻き付いた状態に保持するバンド部４及び留め部５（保持具）は、基部２における一対の縁部２０１，２０２の間隔を電線束９の太さに応じて調節可能である。従って、取付具１，１Ａ，１Ｂ，１Ｃは、様々な太さの電線束９に適用可能である。即ち、取付具１，１Ａ，１Ｂ，１Ｃは、電線束９の太さの要求仕様に関して汎用性が高い。
【００７４】
従って、ワイヤハーネス１０，１０Ａ，１０Ｂ，１０Ｃが採用されれば、電線束９の太さ及び配線経路などの要求仕様の違いに応じて成形用の金型を設計及び作製して形状の異なるプロテクタを作製する必要がない。その結果、低コストで電線束９の太さ及び配線経路などの要求仕様の違いに対応することが可能となる。
【００７５】
また、取付具１，１Ａ，１Ｂ，１Ｃの基部２とその基部２が巻き付けられた電線束９は、基部２の孔２１に通された硬質の棒部材６，６Ａに沿う形状に維持される。また、棒部材６，６Ａは、基部２における固定部３と繋がる部分を通る孔２１に通されている。そのため、基部２とその基部２が巻き付けられた電線束９は、固定部３が固定される取付座の位置を基準として位置決めされるとともに、棒部材６，６Ａに沿う形状に維持される。
【００７６】
従って、ワイヤハーネス１０，１０Ａ，１０Ｂ，１０Ｃが採用されれば、電線束９の経路の要求仕様に応じた長さ及び形状の棒部材６，６Ａが用意されるだけで、取付座の位置を基準として要求仕様に応じた様々な経路に電線束９を沿わせることが可能となる。また、棒部材６，６Ａは構造が単純であるため、配線経路に応じた形状の棒部材を低コストで用意することが可能である。そのため、第２態様における取付具は、電線束の経路の要求仕様に関して汎用性が高い。
【００７７】
また、バンド部４及び留め部５を有する保持具は、取付具１，１Ａ，１Ｂ，１Ｃと一体に形成されている。そのため、ワイヤハーネス１０，１０Ａ，１０Ｂ，１０Ｃの部品点数が少なくなり、ワイヤハーネス１０，１０Ａ，１０Ｂ，１０Ｃの作製に要する工数及びコストが低く抑えられる。
【００７８】
また、取付具１，１Ａ，１Ｂ，１Ｃの基部２は、コルゲートチューブ９２の外周面の溝９２１に嵌り込む凸部２２を有し、コルゲートチューブ９２の外側から電線束９に巻き付けられている。そのため、取付具１，１Ａ，１Ｂ，１Ｃがコルゲートチューブ９２の表面を滑ることによって電線束９における取付具１，１Ａ，１Ｂ，１Ｃの装着位置がずれることが防がれる。従って、取付具１，１Ａ，１Ｂ，１Ｃは、電線束９が複数の電線９１の周囲を一括して覆うコルゲートチューブ９２を含む場合に好適である。
【００７９】
＜その他＞
ワイヤハーネス１０，１０Ａ，１０Ｂ，１０Ｃ１０において、バンド部４及び留め部５からなる留め具が、取付具１，１Ａ，１Ｂ，１Ｃと分離して形成されることも考えられる。例えば、バンド部とバンド部の一端に繋がる留め部とを有する結束バンドが、基部２の周囲に巻き付けられることが考えられる。この場合、結束バンドは、基部２を電線束９に巻き付いた状態に保持する保持具の一例である。
【００８０】
なお、本発明に係るワイヤハーネスは、各請求項に記載された発明の範囲において、以上に示された各実施形態を自由に組み合わせること、或いは各実施形態を適宜、変形する又は一部を省略することによって構成されることも可能である。
【符号の説明】
【００８１】
１，１Ａ，１Ｂ，１Ｃ  ワイヤハーネス用取付具
２  基部
３  固定部
４  バンド部
５  留め部
６，６Ａ  棒部材
８  電線留め具
９  電線束
１０，１０Ａ，１０Ｂ，１０Ｃ  ワイヤハーネス
２１  基部
２１  孔
２２  基部の凸部
２３  部分
３１  開口
４１  ベルト部の凸部
５１  貫通孔
５２  張出部
９１  電線
９２  コルゲートチューブ
２０１  基部の第一縁部
２０２  基部の第二縁部
２０３  基部の第三縁部
２０４  基部の第四縁部
９２１  コルゲートチューブの溝
【図１】
2014155320.tif 000003
【図２】
2014155320.tif 000004
【図３】
2014155320.tif 000005
【図４】
2014155320.tif 000006
【図５】
2014155320.tif 000007
【図６】
2014155320.tif 000008
【図７】
2014155320.tif 000009
【図８】
2014155320.tif 000010
【図９】
2014155320.tif 000011
【図１０】
2014155320.tif 000012